(57)【特許請求の範囲】
【請求項１】
ＤＣ電源と；
このＤＣ電源が出力する直流を降圧する降圧チョッパと；
この降圧チョッパの出力を、高圧放電ランプを点灯する交流に変換するインバータと；
外部からの調光を指示するＰＷＭ信号と消灯を指示するＰＷＭ信号との入力を受付ける入力手段と；
前記入力手段で入力されたＰＷＭ信号の周波数を検出する周波数検出手段と；
前記周波数検出手段が検出した周波数が前記消灯を指示するＰＷＭ信号の周波数である予め設定されている値となったときは、前記スイッチング素子を制御して前記高圧放電ランプを消灯する消灯手段と；
前記周波数検出手段が検出した周波数が前記調光を指示するＰＷＭ信号の周波数となったときは、前記入力手段に入力されたＰＷＭ信号のデューティ比を検出するＰＷＭ検出手段と；
前記ＰＷＭ検出手段で検出したデューティ比に基づいて前記降圧チョッパのチョッピング用のスイッチング素子を制御することにより、前記高圧放電ランプへの供給電力を調節して調光する調光手段と；
を備えている点灯装置。
【請求項２】
照明装置本体と；
この照明装置本体に設けられた請求項１に記載の点灯装置と；
を備えている照明装置。
【発明の詳細な説明】
【０００１】
【発明の属する技術分野】
この発明は、高圧放電ランプを点灯駆動する点灯装置及び照明装置に関する。
【０００２】
【従来の技術】
従来の蛍光灯の点灯装置においては、直流の例えば１２ＶをＰＷＭ制御して、全光から消灯までの調光制御を行っていた。この調光制御はボリューム等によって行われており、例えばＰＷＭ制御のデューティ比を０〜１００％まで可変して、光出力を全光〜消灯まで可変するようにしている。
【０００３】
【発明が解決しようとする課題】
しかしながら、前記のような調光制御を行うと、調光を指示する調光信号も消灯を指示する消灯信号も同じくＰＷＭ制御のデューティ比によるものであるため、誤って消灯させてしまいやすい。そのため、点灯させるランプが高圧放電ランプである場合には、前記のような調光制御を行って誤って消灯させてしまうと、再点灯に時間を要し、消灯時間が長時間継続してしまうという不具合がある。
【０００４】
この発明の目的は、ＰＷＭ制御により調光制御を行っても、誤って消灯させることがない点灯装置を提供することである。
【０００５】
【課題を解決するための手段】
請求項１に記載の発明は、ＤＣ電源と；このＤＣ電源が出力する直流を降圧する降圧チョッパと；この降圧チョッパの出力を、高圧放電ランプを点灯する交流に変換するインバータと；外部からの調光を指示するＰＷＭ信号と消灯を指示するＰＷＭ信号との入力を受付ける入力手段と；前記入力手段で入力されたＰＷＭ信号の周波数を検出する周波数検出手段と；前記周波数検出手段が検出した周波数が前記消灯を指示するＰＷＭ信号の周波数である予め設定されている値となったときは、前記スイッチング素子を制御して前記高圧放電ランプを消灯する消灯手段と；前記周波数検出手段が検出した周波数が前記調光を指示するＰＷＭ信号の周波数となったときは、前記入力手段に入力されたＰＷＭ信号のデューティ比を検出するＰＷＭ検出手段と；前記ＰＷＭ検出手段で検出したデューティ比に基づいて前記降圧チョッパのチョッピング用のスイッチング素子を制御することにより、前記高圧放電ランプへの供給電力を調節して調光する調光手段と；を備えている点灯装置である。
【０００６】
したがって、調光を指示する調光信号はＰＷＭ信号のデューティ比を用い、消灯を指示する消灯信号はＰＷＭ信号の周波数を用いているため、誤って高圧放電ランプを消灯させること防止することができる。
【０００７】
請求項２に記載の発明は、照明装置本体と；この照明装置本体に設けられた請求項１に記載の点灯装置と；を備えている照明装置である。
【０００８】
したがって、請求項１に記載の発明と同様の作用、効果を奏することができる。
【０００９】
【発明の実施の形態】
この発明の一実施の形態について説明する。
【００１０】
この発明の一実施の形態である照明装置は、高圧放電ランプを用いて照明するものであり、その照明装置本体には、高圧放電ランプを点灯駆動する点灯装置が設けられている。
【００１１】
図１は、この点灯装置の回路図である。図１に示すように、この点灯装置１は、ＤＣ電源２と、このＤＣ電源２の出力ラインに接続され、ＤＣ電源２の出力する直流を降圧する降圧チョッパ３と、降圧チョッパ３の出力側のラインに接続され、降圧チョッパ３の出力を所定の交流にして高圧放電ランプ４に供給するインバータ５と、高圧放電ランプ４の点灯を始動する始動器６とを備えている。
【００１２】
インバータ５は、４つのスイッチング素子Ｑ１〜Ｑ４のフルブリッジ回路により構成される。このインバータ５を周知のように駆動して、高圧放電ランプ４に所定の交流を印加することができる。
【００１３】
降圧チョッパ３は、ＤＣ電源２が出力する直流をチョッピングするスイッチング素子Ｑ５と、スイッチング素子Ｑ５の出力を平滑化する平滑コイルＣとから構成される。
【００１４】
制御回路７は、マイコンを備えていて、外部からのＰＷＭ信号を受付け、このＰＷＭ信号に基づき、駆動回路８を介してスイッチング素子Ｑ５をＰＷＭ制御する。
【００１５】
次に、制御回路７が行うＰＷＭ制御の具体的な処理手順について、図２のフローチャートを参照して説明する。
【００１６】
図２に示すように、制御回路７のＣＰＵは、外部からのＰＷＭ信号の入力を受付けたときは（ステップＳ１のＹ）、そのＰＷＭ信号の周波数の大きさを検出する（ステップＳ２）。そして、検出した周波数の値を、予め制御回路７のＲＯＭなどに設定されている基準値と比較する（ステップＳ３）。そして、検出した周波数の値が基準値と等しい場合は（ステップＳ３のＹ）、駆動回路８を介してスイッチング素子Ｑ５を停止して、高圧放電ランプ４を消灯する（ステップＳ４）。ステップＳ１により入力手段を実現し、ステップＳ２により周波数検出手段を実現し、ステップＳ３，Ｓ４により消灯手段を実現している。
【００１７】
検出した周波数の値が基準値と異なる場合には（ステップＳ３のＮ）、ＰＷＭ信号のデューティ比を検出する（ステップＳ５）。そして、駆動回路８を介してスイッチング素子Ｑ５のＯＮ、ＯＦＦのタイミングを調整して、ＤＣ電源２の出力をＰＷＭ信号のデューティ比の大きさに応じた電力値となるように調光制御する（ステップＳ６）。ステップＳ５によりＰＷＭ検出手段を実現し、ステップＳ６により調光手段を実現している。
【００１８】
より具体的に例を示すと、制御回路７のＲＯＭなどに設定されている基準値を例えば１ｋＨｚとして、検出したＰＷＭ信号の周波数が１ｋＨｚであったときは（ステップＳ３のＹ）、高圧放電ランプ４を消灯し（ステップＳ４）、例えば検出したＰＷＭ信号の周波数が１００Ｈｚであるときは（ステップＳ３のＮ）、ＰＷＭ信号のデューティ比の大きさに応じた電力値となるように調光制御する（ステップＳ６）ような制御を行うものである。
【００１９】
なお、制御回路７は、高圧放電ランプ４の点灯開始直後から安定点灯するまでの間（一般に２０分程度）は、外部から調光信号であるＰＷＭ信号を受付けないようなシステム構成とするのが望ましい。これは、点灯開始直後から安定点灯するまでは、高圧放電ランプ４のランプ電圧も安定しておらず、調光を行うことは困難であるためである。また、点灯開始直後から安定点灯するまでの期間は、高圧放電ランプ４が早期に安定点灯に移行できるようにするため、高電力を投入して、発光管の温度を速やかに上昇させる構成とするのが望ましい。
【００２０】
以上説明した照明装置によれば、調光を指示する調光信号はＰＷＭ信号のデューティ比を用い、消灯を指示する消灯信号はＰＷＭ信号の周波数を用いているため、誤って高圧放電ランプ４を消灯させること防止することができる。これにより再点灯に時間を要して、高圧放電ランプ４の消灯時間が長時間継続してしまうという不具合を防止することができる。
【００２１】
【発明の効果】
請求項１に記載の発明は、調光を指示する調光信号はＰＷＭ信号のデューティ比を用い、消灯を指示する消灯信号はＰＷＭ信号の周波数を用いているため、誤って高圧放電ランプを消灯させること防止することができる。
【００２２】
請求項２に記載の発明は、請求項１に記載の発明と同様の作用、効果を奏することができる。
【図面の簡単な説明】
【図１】この発明の一実施の形態である照明装置に用いる点灯装置の回路図。
【図２】前記点灯装置の制御回路が行うＰＷＭ制御の具体的な処理手順について説明するフローチャート。
【符号の説明】
１    点灯装置
２    ＤＣ電源
３    降圧チョッパ
４    高圧放電ランプ
５    インバータ
Ｓ１  入力手段
Ｓ２  周波数検出手段
Ｓ３  消灯手段
Ｓ４  消灯手段
Ｓ５  ＰＷＭ検出手段
Ｓ６  調光手段
【図１】
0004088816.tif 000002
【図２】
0004088816.tif 000003